(57)【要約】【課題】表示部への入射光量が減少するのを抑制することが可能な表示装置を提供する。【解決手段】この液晶テレビジョン装置１００（表示装置）は、液晶表示パネル２と、ＬＥＤ６ａと、一方表面にＬＥＤ６ａが固定されるＬＥＤ基板６ｂと、金属製の板状部材が折り曲げられることにより、ＬＥＤ基板６ｂの他方表面が取り付けられる側部１０ｂと、底部１０ｃとを含むように形成されたヒートシンク１０とを備える。そして、ヒートシンク１０は、側部１０ｂと底部１０ｃとの境界部分である曲げ部１０ｇが除去されることにより形成された逃がし部１０ｋをさらに含み、底部１０ｃの逃がし部１０ｋに対応する領域Ａ１には、底部１０ｃの逃がし部１０ｋに対応する領域Ａ１以外の他の領域Ａ２よりもＬＥＤ基板６ｂ側に突出してＬＥＤ基板６ｂと当接する基板支持部１０ｎが形成されている。【選択図】図８
2013092611.tif 000002
【特許請求の範囲】
【請求項１】
表示部と、
前記表示部に光を照射する発光素子と、
一方表面に前記発光素子が固定される発光素子基板と、
金属製の板状部材が折り曲げられることにより、前記発光素子基板の他方表面が取り付けられる第１面と、前記第１面に対して所定の角度を有する第２面とを含むように形成され、前記発光素子からの熱を放熱する放熱機能を有する放熱部材とを備え、
前記放熱部材は、前記第１面と前記第２面との境界である折り曲げ部分が除去されることにより形成された逃がし部をさらに含み、
前記第２面の前記逃がし部に対応する領域には、前記第２面の前記逃がし部に対応する領域以外の他の領域よりも前記発光素子基板側に突出して前記発光素子基板と当接する基板支持部が形成されている、表示装置。
【請求項２】
前記逃がし部は、前記放熱部材の少なくとも前記第１面に穴部が形成されて前記折り曲げ部分の一部が除去されることにより形成されている、請求項１に記載の表示装置。
【請求項３】
前記基板支持部は、前記穴部に対応する領域に位置するとともに、前記穴部に対応する領域以外の他の領域に位置する前記第２面よりも前記発光素子基板側に突出して前記発光素子基板と当接する平坦面状に形成されている、請求項２に記載の表示装置。
【請求項４】
前記放熱部材は、前記穴部の両端部から前記発光素子基板の延びる方向と交差する方向に沿って延びるように前記第２面に設けられた一対の切欠き部をさらに含み、
前記基板支持部は、前記穴部と前記一対の切欠き部とにより取り囲まれた領域に位置する前記第２面が前記発光素子基板側に突出することにより形成されている、請求項２または３に記載の表示装置。
【請求項５】
前記基板支持部の前記発光素子基板の延びる方向に沿った方向の長さは、１つの前記発光素子の前記発光素子基板の延びる方向に沿った方向の長さよりも大きい、請求項２〜４のいずれか１項に記載の表示装置。
【請求項６】
前記発光素子基板の他方表面と前記放熱部材の前記第１面との間に配置され、前記発光素子基板の他方表面を前記放熱部材の前記第１面に接着により取り付けるための接着機能と、放熱機能とを有する放熱テープをさらに備える、請求項１〜５のいずれか１項に記載の表示装置。
【請求項７】
前記第１面の前記逃がし部に対応する部分の前記第２面とは反対側の端部には、前記発光素子基板側に延びる爪部が設けられており、
前記爪部と前記発光素子基板とは、所定の距離だけ離間している、請求項１〜６のいずれか１項に記載の表示装置。
【請求項８】
前記基板支持部は、前記発光素子基板の延びる方向に沿って所定の間隔を隔てて複数設けられている、請求項１〜７のいずれか１項に記載の表示装置。
【請求項９】
テレビジョン放送を受信する受信部と、
前記受信部により受信されたテレビジョン放送を表示する表示部と、
前記表示部に光を照射する発光素子と、
一方表面に前記発光素子が固定される発光素子基板と、
金属製の板状部材が折り曲げられることにより、前記発光素子基板の他方表面が取り付けられる第１面と、前記第１面に対して所定の角度を有する第２面とを含むように形成され、前記発光素子からの熱を放熱する放熱機能を有する放熱部材とを備え、
前記放熱部材は、前記第１面と前記第２面との境界である折り曲げ部分が除去されることにより形成された逃がし部をさらに含み、
前記第２面の前記逃がし部に対応する領域には、前記第２面の前記逃がし部に対応する領域以外の他の領域よりも前記発光素子基板側に突出して前記発光素子基板と当接する基板支持部が形成されている、テレビジョン装置。
【発明の詳細な説明】
【技術分野】
【０００１】
この発明は、表示装置およびテレビジョン装置に関し、特に、金属製の板状部材が折り曲げられることにより形成された放熱部材を備える表示装置およびテレビジョン装置に関する。
【背景技術】
【０００２】
従来、金属製の板状部材が折り曲げられることにより形成された放熱部材を備える表示装置が知られている（たとえば、特許文献１参照）。
【０００３】
上記特許文献１には、液晶パネル（表示部）と、液晶パネルに光を照射するＬＥＤ（発光素子）が実装される一方表面を有する回路基板（発光素子基板）と、液晶パネルおよび回路基板を保持する内表面を有する背面フレーム（放熱部材）とを備える液晶表示装置が開示されている。この液晶表示装置では、背面フレームは、アルミニウム製の金属板が折り曲げられることにより形成されている。具体的には、背面フレームの内表面は、回路基板のＬＥＤとは反対側の他方表面が取り付けられる第１面と、第１面に対して略垂直な第２面と、第１面と第２面との境界部分である折り曲げ部分とを含むように形成されている。そして、背面フレームの第２面と、回路基板の背面フレームの第２面側の端面とが接触した状態で、回路基板のＬＥＤとは反対側の他方表面が背面フレームの第１面に接着されて取り付けられている。ここで、一般的に、アルミニウムなどの金属板を曲げ加工することにより形成される折り曲げ部分は、曲面状の内表面を有するように形成される。
【先行技術文献】
【特許文献】
【０００４】
【特許文献１】特開２００６−２６７９３６号公報
【発明の概要】
【発明が解決しようとする課題】
【０００５】
しかしながら、上記特許文献１に開示されたような液晶表示装置では、背面フレーム（放熱部材）の第２面と、回路基板（発光素子基板）の背面フレームの第２面側の端面とを接触させながら、回路基板の他方表面を背面フレームの第１面に取り付ける際に、回路基板の背面フレームの第２面側の端面と、背面フレームの折り曲げ部分の曲面状の内表面とが接触する場合がある。この場合、背面フレームの折り曲げ部分の曲面状の内表面に起因して、回路基板が背面フレームの第１面に対して斜め方向に傾いた状態で固定されるという不都合がある。このため、回路基板の一方表面に実装されたＬＥＤ（光源）からの光が本来の出射方向（背面フレームの第１面に対して垂直な方向）に対して傾いた方向に出射され、その結果、液晶パネル（表示部）への入射光量が減少するという問題点がある。
【０００６】
この発明は、上記のような課題を解決するためになされたものであり、この発明の１つの目的は、表示部への入射光量が減少するのを抑制することが可能な表示装置およびテレビジョン装置を提供することである。
【課題を解決するための手段】
【０００７】
上記目的を達成するために、この発明の第１の局面による表示装置は、表示部と、表示部に光を照射する発光素子と、一方表面に発光素子が固定される発光素子基板と、金属製の板状部材が折り曲げられることにより、発光素子基板の他方表面が取り付けられる第１面と、第１面に対して所定の角度を有する第２面とを含むように形成され、発光素子からの熱を放熱する放熱機能を有する放熱部材とを備え、放熱部材は、第１面と第２面との境界である折り曲げ部分が除去されることにより形成された逃がし部をさらに含み、第２面の逃がし部に対応する領域には、第２面の逃がし部に対応する領域以外の他の領域よりも発光素子基板側に突出して発光素子基板と当接する基板支持部が形成されている。
【０００８】
この発明の第１の局面による表示装置では、上記のように、放熱部材を、第１面と第２面との境界である折り曲げ部分が除去されることにより形成された逃がし部を含むように構成し、第２面の逃がし部に対応する領域に、第２面の逃がし部に対応する領域以外の他の領域よりも発光素子基板側に突出して発光素子基板と当接する基板支持部を形成する。これにより、発光素子基板の他方表面を放熱部材の第１面に取り付ける際に、放熱部材の第２面の基板支持部と、発光素子基板の放熱部材の第２面側の端面とを当接させることによって、放熱部材の折り曲げ部分と発光素子基板とを接触させないように発光素子基板を放熱部材に固定することができる。このため、発光素子基板が放熱部材の第１面に対して斜め方向に傾いた状態で固定されるのを抑制することができる。その結果、発光素子からの光が本来の出射方向（放熱部材の第１面に対して垂直な方向）からずれた方向に出射されるのを抑制することができるので、表示部への入射光量が減少するのを抑制することができる。
【０００９】
上記第１の局面による表示装置において、好ましくは、逃がし部は、放熱部材の少なくとも第１面に穴部が形成されて折り曲げ部分の一部が除去されることにより形成されている。このように構成すれば、放熱部材の少なくとも第１面に穴部を形成して折り曲げ部分の一部を除去するだけで、容易に、逃がし部を形成することができる。
【００１０】
この場合、好ましくは、基板支持部は、穴部に対応する領域に位置するとともに、穴部に対応する領域以外の他の領域に位置する第２面よりも発光素子基板側に突出して発光素子基板と当接する平坦面状に形成されている。このように構成すれば、平坦面状に形成された基板支持部と、放熱部材の第２面側の発光素子基板の端面とを面接触させることができるので、発光素子基板をより安定して支持することができる。
【００１１】
上記放熱部材の少なくとも第１面に穴部が形成されて折り曲げ部分の一部が除去されることにより逃がし部が形成されている表示装置において、好ましくは、放熱部材は、穴部の両端部から発光素子基板の延びる方向と交差する方向に沿って延びるように第２面に設けられた一対の切欠き部をさらに含み、基板支持部は、穴部と一対の切欠き部とにより取り囲まれた領域に位置する第２面が発光素子基板側に突出することにより形成されている。このように構成すれば、基板支持部が穴部と一対の切欠き部とにより取り囲まれているので、容易に、基板支持部を発光素子基板側に突出させる加工を行うことができる。
【００１２】
上記放熱部材の少なくとも第１面に穴部が形成されて折り曲げ部分の一部が除去されることにより逃がし部が形成されている表示装置において、好ましくは、基板支持部の発光素子基板の延びる方向に沿った方向の長さは、１つの発光素子の発光素子基板の延びる方向に沿った方向の長さよりも大きい。このように構成すれば、発光素子基板の延びる方向に沿った方向の長さが１つの発光素子よりも大きい基板支持部によって、発光素子基板を安定して支持することができるので、発光素子基板の基板支持部により支持される部分が傾くのを抑制することができ、これによっても、表示部への入射光量が減少するのを抑制することができる。
【００１３】
上記第１の局面による表示装置において、好ましくは、発光素子基板の他方表面と放熱部材の第１面との間に配置され、発光素子基板の他方表面を放熱部材の第１面に接着により取り付けるための接着機能と、放熱機能とを有する放熱テープをさらに備える。このように構成すれば、放熱テープにより、発光素子基板の他方表面と放熱部材の第１面とを接着しながら、発光素子から発光素子基板を介して伝達される熱を放熱することができる。
【００１４】
上記第１の局面による表示装置において、好ましくは、第１面の逃がし部に対応する部分の第２面とは反対側の端部には、発光素子基板側に延びる爪部が設けられており、爪部と発光素子基板とは、所定の距離だけ離間している。このように構成すれば、爪部により、発光素子基板が放熱部材から外れるのを抑制することができる。また、爪部と発光素子基板とを所定の距離だけ離間させることにより、発光素子基板が爪部と第１面との間の折り曲げ部分に接触するのを抑制することができる。これにより、発光素子基板が爪部と第１面との間の折り曲げ部分に接触することに起因して発光素子基板が第１面に対して斜め方向に傾いたまま固定されるのを抑制することができるので、発光素子基板が第１面に対して斜め方向に傾いたまま固定されるのをより抑制することができる。その結果、発光素子の光が本来の出射方向からずれた方向に出射されるのをより抑制することができるので、表示部への入射光量が減少するのをより抑制することができる。
【００１５】
上記第１の局面による表示装置において、好ましくは、基板支持部は、発光素子基板の延びる方向に沿って所定の間隔を隔てて複数設けられている。このように構成すれば、複数の基板支持部によって、第１面と第２面との間の折り曲げ部分に発光素子基板が接触するのをより抑制しながら、発光素子基板をより安定して支持することができる。
【００１６】
この発明の第２の局面によるテレビジョン装置は、テレビジョン放送を受信する受信部と、受信部により受信されたテレビジョン放送を表示する表示部と、表示部に光を照射する発光素子と、一方表面に発光素子が固定される発光素子基板と、金属製の板状部材が折り曲げられることにより、発光素子基板の他方表面が取り付けられる第１面と、第１面に対して所定の角度を有する第２面とを含むように形成され、発光素子からの熱を放熱する放熱機能を有する放熱部材とを備え、放熱部材は、第１面と第２面との境界である折り曲げ部分が除去されることにより形成された逃がし部をさらに含み、第２面の逃がし部に対応する領域には、第２面の逃がし部に対応する領域以外の他の領域よりも発光素子基板側に突出して発光素子基板と当接する基板支持部が形成されている。
【００１７】
この発明の第２の局面によるテレビジョン装置では、上記のように、放熱部材を、第１面と第２面との境界である折り曲げ部分が除去されることにより形成された逃がし部を含むように構成し、第２面の逃がし部に対応する領域に、第２面の逃がし部に対応する領域以外の他の領域よりも発光素子基板側に突出して発光素子基板と当接する基板支持部を形成する。これにより、発光素子基板の他方表面を放熱部材の第１面に取り付ける際に、放熱部材の第２面の基板支持部と、発光素子基板の放熱部材の第２面側の端面とを当接させることによって、放熱部材の折り曲げ部分と発光素子基板とを接触させないように発光素子基板を放熱部材に固定することができる。このため、発光素子基板が放熱部材の第１面に対して斜め方向に傾いた状態で固定されるのを抑制することができる。その結果、発光素子からの光が本来の出射方向（放熱部材の第１面に対して垂直な方向）からずれた方向に出射されるのを抑制することができるので、表示部への入射光量が減少するのを抑制することが可能なテレビジョン装置を提供することができる。
【発明の効果】
【００１８】
本発明によれば、上記のように、表示部への入射光量が減少するのを抑制することができる。
【図面の簡単な説明】
【００１９】
【図１】本発明の一実施形態による液晶テレビジョン装置を正面側から見た斜視図である。
【図２】本発明の一実施形態による液晶テレビジョン装置を背面側から見た斜視図である。
【図３】本発明の一実施形態による液晶テレビジョン装置の背面図である。
【図４】本発明の一実施形態による液晶テレビジョン装置の分解斜視図である。
【図５】本発明の一実施形態による液晶テレビジョン装置のブロック図である。
【図６】本発明の一実施形態による液晶テレビジョン装置のホールドプレートおよびヒートシンクを示した分解斜視図である。
【図７】本発明の一実施形態による液晶テレビジョン装置のヒートシンク、放熱テープおよびＬＥＤ基板を示した分解斜視図である。
【図８】本発明の一実施形態による液晶テレビジョン装置のヒートシンクおよびＬＥＤ基板を拡大して示した分解斜視図である。
【図９】本発明の一実施形態による液晶テレビジョン装置のヒートシンクにＬＥＤ基板が取り付けられた状態を拡大して示した斜視図である。
【図１０】図９の２００−２００線に沿った断面図である。
【図１１】図９の３００−３００線に沿った断面図である。
【発明を実施するための形態】
【００２０】
以下、本発明の実施形態を図面に基づいて説明する。
【００２１】
まず、図１〜図１１を参照して、本発明の一実施形態による液晶テレビジョン装置１００の構成について説明する。なお、液晶テレビジョン装置１００は、本発明の「表示装置」の一例であるとともに、本発明の「テレビジョン装置」の一例である。
【００２２】
図１〜図４に示すように、液晶テレビジョン装置１００は、正面側（矢印Ｙ１方向側）から見て略矩形形状を有するとともに枠状に形成された前部筐体１と、前部筐体１の背面側（矢印Ｙ２方向側）に収納された液晶表示パネル２と、液晶テレビジョン装置１００全体を支持するスタンド部材３とを備えている。なお、前部筐体１およびスタンド部材３は、共に樹脂製である。また、液晶表示パネル２は、本発明の「表示部」の一例である。
【００２３】
また、図２〜図４に示すように、前部筐体１の背面側（矢印Ｙ２方向側）には、後面の一部（外周部周辺）が後部筐体を構成するパネル支持部材（リアフレーム）４が配置されている。このパネル支持部材４は、液晶表示パネル２を支持するために設けられている。なお、パネル支持部材４は、金属製の板状部材（ＳＥＣＣ：電気亜鉛めっき鋼板）により形成されている。
【００２４】
また、図２〜図４に示すように、パネル支持部材４の背面側（矢印Ｙ２方向側）には、樹脂製のカバー部材５が取り付けられている。なお、図３に示すように、カバー部材５は、背面側から見て前部筐体１およびパネル支持部材４よりも小さい略矩形形状を有するように形成されている。これにより、カバー部材５は、パネル支持部材４の背面（矢印Ｙ２方向側の面）の外周部近傍を逆Ｕ字状に露出させながらパネル支持部材４の背面を覆うように構成されている。このパネル支持部材４の背面の逆Ｕ字状に露出された領域４０１は、液晶テレビジョン装置１００の内部の後述するＬＥＤ（Ｌｉｇｈｔ  Ｅｍｉｔｔｉｎｇ  Ｄｉｏｄｅ）６ａなどから発生する熱を外部に放熱する機能を有している。なお、ＬＥＤ６ａは、本発明の「発光素子」の一例である。
【００２５】
また、図３および図４に示すように、パネル支持部材４の背面（矢印Ｙ２方向側の面）の中央部近傍のカバー部材５により覆われる領域４０２には、電源基板７と、チューナ１８を有する信号処理基板８と、２つのスピーカ１７とが設けられている。なお、チューナ１８は、本発明の「受信部」の一例である。
【００２６】
図３に示すように、電源基板７および信号処理基板８は、パネル支持部材４の背面（矢印Ｙ２方向側の面）の中央部近傍の領域４０２において左右方向（Ｘ方向）に並んで配置されている。また、２つのスピーカ１７は、スピーカ取付部材１６（図４参照）に取り付けられた状態で、電源基板７および信号処理基板８よりも下方（矢印Ｚ２方向側）において左右方向に並んで配置されている。
【００２７】
電源基板７は、液晶テレビジョン装置１００全体に電力を供給するために設けられている。また、信号処理基板８は、チューナ１８により受信されたテレビジョン放送の映像信号および音声信号の信号処理を行うために設けられている。ここで、図５に示すように、信号処理基板８のチューナ１８は、テレビジョン放送を受信するためのアンテナ１９と、液晶表示パネル２と、スピーカ１７とに接続されている。これにより、信号処理基板８は、アンテナ１９を介してチューナ１８により受信されたテレビジョン放送の映像信号および音声信号のうち、映像信号を液晶表示パネル２に出力するとともに、音声信号をスピーカ１７に出力するように構成されている。
【００２８】
図４に示すように、電源基板７および信号処理基板８は、パネル支持部材４の背面（矢印Ｙ２方向側の表面）の中央部近傍の領域４０２に設けられた基板取付部４２にネジ部材３０によって取り付けられている。また、カバー部材５は、パネル支持部材４の背面の中央部近傍の領域４０２にネジ部材３０および３１によって取り付けられている。また、前部筐体１は、パネル支持部材４の背面の外周部近傍の逆Ｕ字状に露出された領域４０１にネジ部材３２によって取り付けられている。
【００２９】
図４に示すように、液晶表示パネル２の背面側（矢印Ｙ２方向側）で、かつ、パネル支持部材４の正面側（矢印Ｙ１方向側）には、約０．６ｍｍの厚みを有する金属製の板状部材（ＳＥＣＣ）からなる３つのホールドプレート９ａ、９ｂおよび９ｃと、約１．０ｍｍの厚みを有する金属製の板状部材（放熱性に優れたアルミニウムまたはアルミニウム合金からなる板金）からなる１つのヒートシンク１０とが配置されている。また、ホールドプレート９ａ〜９ｃおよびヒートシンク１０の正面側には、反射シート１１、導光板１２、光拡散シート１３、レンズシート１４、枠状の樹脂フレーム１５、液晶表示パネル２、および、図示しないベゼルなどがこの順番で積層されて配置されている。なお、ヒートシンク１０は、本発明の「放熱部材」の一例であるとともに、本発明の「板状部材」の一例である。
【００３０】
図４に示すように、ホールドプレート９ａ、９ｂ、９ｃおよびヒートシンク１０は、それぞれ、前部筐体１の外周部側（矢印Ｚ１方向側、矢印Ｚ２方向側、矢印Ｘ１方向側および矢印Ｘ２方向側）に配置されている。また、図４および図６に示すように、ホールドプレート９ａおよび９ｂは、共に、左右方向（Ｘ方向）に延びるように形成されている。また、ホールドプレート９ｃおよびヒートシンク１０は、共に、上下方向（Ｚ方向）に延びるように形成されている。
【００３１】
なお、図６に示すように、ホールドプレート９ａおよび９ｂの長手方向（Ｘ方向）の両端部には、それぞれ、ネジ部材３３に螺合するネジ穴９０ａおよび９０ｂが一対設けられている。また、ホールドプレート９ｃの長手方向（Ｚ方向）の両端部には、ホールドプレート９ａおよび９ｂの矢印Ｘ１方向側の端部に位置するネジ穴９０ａおよび９０ｂにそれぞれ対応するネジ挿入穴９０ｃが一対設けられている。同様に、ヒートシンク１０の長手方向（Ｚ方向）の両端部にも、ホールドプレート９ａおよび９ｂの矢印Ｘ２方向側の端部に位置するネジ穴９０ａおよび９０ｂにそれぞれ対応するネジ挿入穴１０ａが一対設けられている。これにより、ホールドプレート９ａ〜９ｃと、ヒートシンク１０とは、ネジ部材３３によって互いに固定（締結）される。その結果、ホールドプレート９ａ〜９ｃおよびヒートシンク１０の正面側（矢印Ｙ１方向側）に積層される反射シート１１など（図４参照）を前部筐体１側（矢印Ｙ１方向側）に押さえて支持する略矩形形状の枠体が構成される。
【００３２】
図４に示すように、ヒートシンク１０の正面側（矢印Ｙ１方向側）で、かつ、導光板１２の側方（矢印Ｘ２方向側）には、バックライト用の複数のＬＥＤ６ａが実装（固定）されたＬＥＤ基板６ｂが配置されている。なお、ＬＥＤ基板６ｂは、本発明の「発光素子基板」の一例である。図４および図７に示すように、ＬＥＤ基板６ｂは、ヒートシンク１０の長手方向（Ｚ方向）に沿って延びるように形成されている。また、図７に示すように、複数のＬＥＤ６ａは、ＬＥＤ基板６ｂの一方表面（矢印Ｘ１方向側の表面）上に、ＬＥＤ基板６ｂの延びる方向（Ｚ方向）に沿って所定の間隔を隔てて実装されている。
【００３３】
ここで、本実施形態では、図７〜図１１に示すように、ヒートシンク１０は、ＬＥＤ基板６ｂの他方表面（矢印Ｘ２方向側の表面）が取り付けられる内側面（矢印Ｘ１方向側の面）を有する側部１０ｂと、反射シート１１などを支持する底部１０ｃと、側部１０ｂの底部１０ｃとは反対側（矢印Ｙ１方向側）の端部からＬＥＤ基板６ｂとは反対側（矢印Ｘ２方向側）に延びる放熱部１０ｄとを含むように構成されている。なお、側部１０ｂの内側面（矢印Ｘ１方向側の面）は、本発明の「第１面」の一例である。また、底部１０ｃのＬＥＤ基板６ｂ側の面（矢印Ｙ１方向側の面）は、本発明の「第２面」の一例である。
【００３４】
図７〜図１１に示すように、側部１０ｂは、ＬＥＤ基板６ｂに対して平行な面（Ｙ−Ｚ平面）に沿って延びるように形成されている。また、底部１０ｃは、ＬＥＤ基板６ｂに対して垂直な面（Ｘ−Ｚ平面）に沿って延びるように形成されている。また、放熱部１０ｄは、ＬＥＤ基板６ｂに対して垂直な面に沿って延びる第１部分１０ｅと、ＬＥＤ基板６ｂに対して平行な面に沿って延びる第２部分１０ｆとを含むように形成されている。
【００３５】
側部１０ｂ、底部１０ｃおよび放熱部１０ｄは、金属製の板状部材（放熱性に優れたアルミニウムまたはアルミニウム合金からなる板金）のプレス加工による曲げなどによって互いに一体的に形成されている。これにより、図１０および図１１に示すように、側部１０ｂは、底部１０ｃの矢印Ｘ２方向側の端部から略垂直に（矢印Ｙ１方向に）立ち上がるように形成されている。また、側部１０ｂと底部１０ｃとの境界部分には、側部１０ｂと底部１０ｃとを接続する曲げ部１０ｇが形成されている。同様に、側部１０ｂと放熱部１０ｄとの境界部分、および、放熱部１０ｄの第１部分１０ｅと第２部分１０ｆとの境界部分にも、それぞれ、曲げ部１０ｈおよび１０ｉが形成されている。これら曲げ部１０ｇ〜１０ｉは、それぞれ、所定の曲率半径を有する曲面状の内表面を有している。なお、曲げ部１０ｇは、本発明の「折り曲げ部分」の一例である。
【００３６】
また、図７および図８に示すように、ヒートシンク１０は、側部１０ｂに穴部１０ｊが形成されて曲げ部１０ｇの一部が除去されることにより形成された逃がし部１０ｋを含むように構成されている。なお、図７に示すように、逃がし部１０ｋは、ＬＥＤ基板６ｂの延びる方向（Ｚ方向）に沿って所定の間隔を隔てて５つ設けられている。また、図８に示すように、穴部１０ｊは、側部１０ｂの底部１０ｃ側（矢印Ｙ２方向側）の端部において、ＬＥＤ基板６ｂの延びる方向（Ｚ方向）に沿って延びるように設けられている。
【００３７】
また、図７〜図９に示すように、ヒートシンク１０は、側部１０ｂの底部１０ｃとは反対側（矢印Ｙ１方向側）の端部からＬＥＤ基板６ｂ側（矢印Ｘ１方向側）に延びる爪部１０ｌを含むように構成されている。なお、図７に示すように、爪部１０ｌは、ヒートシンク１０の長手方向（Ｚ方向）の両端部近傍と、上記５つの逃がし部１０ｋに対応する部分とにそれぞれ１つずつ設けられている。すなわち、爪部１０ｌは、側部１０ｂの底部１０ｃとは反対側の端部においてＺ方向に沿って所定の間隔を隔てて７つ設けられている。
【００３８】
また、図７〜図１０に示すように、爪部１０ｌは、放熱部１０ｄの第１部分１０ｅの側部１０ｂ側（矢印Ｘ１方向側）の端部近傍が切り起こされてＬＥＤ基板６ｂ側（矢印Ｘ１方向側）に折り曲げられることにより形成されている。これにより、図１０に示すように、爪部１０ｌと側部１０ｂとの境界部分には、曲面状の内表面を有する曲げ部１０ｍが形成されている。なお、爪部１０ｌと、ＬＥＤ基板６ｂの底部１０ｃとは反対側（矢印Ｙ１方向側）の端面とは、ＬＥＤ基板６ｂが側部１０ｂに取り付けられた状態でＹ方向に所定の距離Ｄ１だけ離間するように構成されている。
【００３９】
また、図７〜図１１に示すように、底部１０ｃの側部１０ｂ側（矢印Ｘ２方向側）の端部近傍の領域Ａは、ＬＥＤ基板６ｂとは反対側（矢印Ｙ２方向側）に凹むように構成されている。ここで、図８および図９に示すように、底部１０ｃの領域Ａのうちの逃がし部１０ｋに対応する領域Ａ１には、領域Ａ１以外の他の領域Ａ２よりもＬＥＤ基板６ｂ側（矢印Ｙ１方向側）に所定の距離Ｄ２（図１１参照）だけ突出してＬＥＤ基板６ｂと当接する平坦面状の基板支持部１０ｎが設けられている。この基板支持部１０ｎは、逃がし部１０ｋを構成する穴部１０ｊの直下まで延びるように形成されている。
【００４０】
図８〜図１１に示すように、基板支持部１０ｎは、側部１０ｂの底部１０ｃ側（矢印Ｙ２方向側）の端部に設けられた穴部１０ｊと、穴部１０ｊの両端部からＬＥＤ基板６ｂの延びる方向（Ｚ方向）と交差する方向（Ｘ方向）に延びる一対の切欠き部１０ｏとにより取り囲まれた領域Ａ１に位置する底部１０ｃがＬＥＤ基板６ｂ側（矢印Ｙ１方向側）に突出することにより形成されている。なお、図８に示すように、基板支持部１０ｎのＺ方向に沿った方向の長さＬ１は、穴部１０ｊのＺ方向に沿った方向の長さＬ２よりも小さくなるように形成されている。また、基板支持部１０ｎのＺ方向に沿った方向の長さＬ１は、１つのＬＥＤ６ａのＺ方向に沿った方向の長さＬ３よりも大きくなるように形成されている。
【００４１】
図１０および図１１に示すように、基板支持部１０ｎ（領域Ａ１）は、ＬＥＤ基板６ｂが側部１０ｂに取り付けられた状態で、ＬＥＤ基板６ｂの底部１０ｃ側（矢印Ｙ２方向側）の端面と当接してＬＥＤ基板６ｂを支持するように構成されている。なお、図１０に示すように、基板支持部１０ｎの矢印Ｘ２方向側の端面は、側部１０ｂのＬＥＤ基板６ｂとは反対側（矢印Ｘ２方向側）の表面と略面一になるように形成されている。また、図１１に示すように、基板支持部１０ｎ以外の底部１０ｃ（領域Ａ２）は、ＬＥＤ基板６ｂが側部１０ｂに取り付けられた状態で、ＬＥＤ基板６ｂの底部１０ｃ側の端面と所定の距離Ｄ２（たとえば、約０．２ｍｍ）だけ離間するように構成されている。
【００４２】
また、図７、図１０および図１１に示すように、ＬＥＤ基板６ｂの他方表面（矢印Ｘ２方向側の表面）と側部１０ｂとの間には、ＬＥＤ基板６ｂの他方表面を側部１０ｂに接着により取り付けるための接着機能と、放熱機能とを有する放熱テープ６ｃが設けられている。この放熱テープ６ｃは、耐熱性および熱伝導性に優れた両面テープなどにより構成される。これにより、ＬＥＤ６ａの発光によって発生する熱は、ＬＥＤ基板６ｂ、放熱テープ６ｃおよび側部１０ｂを介して放熱部１０ｄに伝達され、その後、パネル支持部材４の背面の逆Ｕ字状に露出された領域４０１（図３参照）を介して液晶テレビジョン装置１００の外部に放熱される。また、ＬＥＤ６ａから照射された光は、側部１０ｂに対して垂直な方向（矢印Ｘ１方向）に出射され、その後、反射シート１１および導光板１２などを介して液晶表示パネル２に入射される。
【００４３】
本実施形態では、上記のように、ヒートシンク１０を、曲げ部１０ｇが除去されることにより形成された逃がし部１０ｋを含むように構成し、底部１０ｃの逃がし部１０ｋに対応する領域Ａ１に、底部１０ｃの逃がし部１０ｋに対応する領域Ａ１以外の他の領域Ａ２よりもＬＥＤ基板６ｂ側（矢印Ｙ１方向側）に突出してＬＥＤ基板６ｂと当接する基板支持部１０ｎを形成する。これにより、ＬＥＤ基板６ｂの他方表面をヒートシンク１０の側部１０ｂに取り付ける際に、ヒートシンク１０の底部１０ｃの基板支持部１０ｎと、ＬＥＤ基板６ｂのヒートシンク１０の底部１０ｃ側（矢印Ｙ２方向側）の端面とを当接させることによって、ヒートシンク１０の曲げ部１０ｇとＬＥＤ基板６ｂとを接触させないようにＬＥＤ基板６ｂをヒートシンク１０に固定することができる。このため、ＬＥＤ基板６ｂがヒートシンク１０の側部１０ｂに対して斜め方向に傾いた状態で固定されるのを抑制することができる。その結果、ＬＥＤ６ａの光が本来の出射方向（ヒートシンク１０の側部１０ｂに対して垂直な方向（矢印Ｘ１方向））からずれた方向に出射されるのを抑制することができるので、液晶表示パネル２への入射光量が減少するのを抑制することができる。
【００４４】
また、本実施形態では、上記のように、ヒートシンク１０の側部１０ｂに穴部１０ｊを形成して曲げ部１０ｇの一部を除去することにより逃がし部１０ｋを形成する。これにより、ヒートシンク１０の側部１０ｂに穴部１０ｊを形成して曲げ部１０ｇの一部を除去するだけで、容易に、逃がし部１０ｋを形成することができる。
【００４５】
また、本実施形態では、上記のように、基板支持部１０ｎを、穴部１０ｊに対応する領域（底部１０ｃの領域Ａ１）に配置するとともに、穴部１０ｊに対応する領域以外の他の領域に位置する底部１０ｃ（底部１０ｃの領域Ａ２）よりもＬＥＤ基板６ｂ側（矢印Ｙ１方向側）に突出してＬＥＤ基板６ｂと当接する平坦面状に形成する。これにより、平坦面状に形成された基板支持部１０ｎと、ヒートシンク１０の底部１０ｃ側のＬＥＤ基板６ｂの端面とを面接触させることができるので、ＬＥＤ基板６ｂをより安定して支持することができる。
【００４６】
また、本実施形態では、上記のように、穴部１０ｊの両端部からＬＥＤ基板６ｂの延びる方向（Ｚ方向）と交差する方向（Ｘ方向）に沿って延びる一対の切欠き部１０ｏをヒートシンク１０の底部１０ｃに設け、穴部１０ｊと一対の切欠き部１０ｏとにより取り囲まれた領域Ａ１に位置する底部１０ｃをＬＥＤ基板６ｂ側（矢印Ｙ１方向側）に突出させることにより基板支持部１０ｎを形成する。これにより、基板支持部１０ｎが穴部１０ｊと一対の切欠き部１０ｏとにより取り囲まれているので、容易に、基板支持部１０ｎをＬＥＤ基板６ｂ側に突出させる加工を行うことができる。
【００４７】
また、本実施形態では、上記のように、基板支持部１０ｎのＬＥＤ基板６ｂの延びる方向（Ｚ方向）に沿った方向の長さＬ１を、１つのＬＥＤ６ａのＬＥＤ基板６ｂの延びる方向に沿った方向の長さＬ３よりも大きくする。これにより、ＬＥＤ基板６ｂの延びる方向に沿った方向の長さが１つのＬＥＤ６ａよりも大きい基板支持部１０ｎによって、ＬＥＤ基板６ｂを安定して支持することができるので、ＬＥＤ基板６ｂの基板支持部１０ｎにより支持される部分が傾くのを抑制することができ、これによっても、液晶表示パネル２への入射光量が減少するのを抑制することができる。
【００４８】
また、本実施形態では、上記のように、ＬＥＤ基板６ｂの他方表面（矢印Ｘ２方向側の表面）をヒートシンク１０の側部１０ｂに接着により取り付けるための接着機能と、放熱機能とを有する放熱テープ６ｃを、ＬＥＤ基板６ｂの他方表面とヒートシンク１０の側部１０ｂとの間に設ける。これにより、放熱テープ６ｃによって、ＬＥＤ基板６ｂの他方表面とヒートシンク１０の側部１０ｂとを接着しながら、ＬＥＤ６ａからＬＥＤ基板６ｂを介して伝達される熱を放熱することができる。
【００４９】
また、本実施形態では、上記のように、側部１０ｂの逃がし部１０ｋに対応する部分の底部１０ｃとは反対側（矢印Ｙ１方向側）の端部に、ＬＥＤ基板６ｂ側（矢印Ｘ１方向側）に延びる爪部１０ｌを設け、爪部１０ｌとＬＥＤ基板６ｂとを、所定の距離Ｄ１だけ離間させる。これにより、爪部１０ｌによって、ＬＥＤ基板６ｂがヒートシンク１０から外れるのを抑制することができる。また、爪部１０ｌとＬＥＤ基板６ｂとを所定の距離Ｄ１だけ離間させることによって、ＬＥＤ基板６ｂが爪部１０ｌと側部１０ｂとの間の曲げ部１０ｍに接触するのを抑制することができる。これにより、ＬＥＤ基板６ｂが爪部１０ｌと側部１０ｂとの間の曲げ部１０ｍに接触することに起因して、ＬＥＤ基板６ｂが側部１０ｂに対して斜め方向に傾いたまま固定されるのを抑制することができるので、ＬＥＤ基板６ｂが側部１０ｂに対して斜め方向に傾いたまま固定されるのをより抑制することができる。その結果、ＬＥＤ６ａの光が本来の出射方向（ヒートシンク１０の側部１０ｂに対して垂直な方向（矢印Ｘ１方向））からずれた方向に出射されるのをより抑制することができるので、液晶表示パネル２への入射光量が減少するのをより抑制することができる。
【００５０】
また、本実施形態では、上記のように、基板支持部１０ｎを、ＬＥＤ基板６ｂの延びる方向（Ｚ方向）に沿って所定の間隔を隔てて５つ設ける。これにより、５つの基板支持部１０ｎによって、側部１０ｂと底部１０ｃとの間の曲げ部１０ｇにＬＥＤ基板６ｂが接触するのをより抑制しながら、ＬＥＤ基板６ｂをより安定して支持することができる。
【００５１】
また、本実施形態では、上記のように、ヒートシンク１０を、側部１０ｂ、底部１０ｃ、曲げ部１０ｇおよび逃がし部１０ｋを一体的に含む金属製の板状部材（アルミニウムを含む板金）により構成する。これにより、側部１０ｂ、底部１０ｃ、曲げ部１０ｇおよび逃がし部１０ｋをそれぞれ別部品としてヒートシンク１０に設ける場合と異なり、部品点数が増加するのを抑制することができる。また、金属製の板状部材を用いることによって、プレス加工などにより、容易に、穴部１０ｊなどの逃がし部１０ｋを形成することができる。
【００５２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５３】
たとえば、上記実施形態では、本発明を表示装置としての液晶テレビジョン装置に適用する例を示したが、本発明はこれに限らない。本発明は、ＰＣ（Ｐｅｒｓｏｎａｌ  Ｃｏｍｐｕｔｅｒ）のモニタなどの他の表示装置にも適用可能である。
【００５４】
また、上記実施形態では、ヒートシンク１０（放熱部材）の側部１０ｂの底部１０ｃ側の端部に穴部１０ｊを設けて曲げ部１０ｇ（折り曲げ部分）の一部を除去することによって逃がし部１０ｋを形成する例を示したが、本発明はこれに限らない。本発明では、放熱部材の側部に穴部を設けずに、放熱部材の底部の側部側の端部に穴部を設けて曲げ部を除去することによって逃がし部を形成してもよい。また、本発明では、曲げ部の一部を除去する穴部を設けるのではなく、曲げ部の内表面の全体をＬＥＤ基板の延びる方向に沿って除去する凹部（溝部）を設けることによって逃がし部を形成してもよい。
【００５５】
また、上記実施形態では、基板支持部１０ｎを、ＬＥＤ基板６ｂ（発光素子基板）側に突出する平坦面状に形成する例を示したが、本発明はこれに限らない。本発明では、基板支持部を、発光素子基板側に突出する曲面状または尖った突起状に形成してもよい。
【００５６】
また、上記実施形態では、接着機能と放熱機能とを有する放熱テープ６ｃを用いてＬＥＤ基板６ｂ（発光素子基板）をヒートシンク１０（放熱部材）の側部１０ｂに取り付ける例を示したが、本発明はこれに限らない。本発明では、放熱テープ以外の部材（たとえば、接着剤）を用いて発光素子基板を放熱部材の側部に取り付けてもよい。また、放熱テープなどを用いずに、発光素子基板を放熱部材の側部に直接取り付けてもよい。
【００５７】
また、上記実施形態では、逃がし部１０ｋをＬＥＤ基板６ｂ（発光素子基板）の延びる方向に沿って５つ設ける例を示したが、本発明はこれに限らない。本発明では、逃がし部１０ｋの個数が４つ以下であってもよいし、６つ以上であってもよい。
【符号の説明】
【００５８】
２  液晶セル（表示部）
６ａ  ＬＥＤ（発光素子）
６ｂ  ＬＥＤ基板（発光素子基板）
６ｃ  放熱テープ
１０  ヒートシンク（放熱部材）
１０ｂ  側部
１０ｃ  底部
１０ｇ  曲げ部（折り曲げ部分）
１０ｊ  穴部
１０ｋ  逃がし部
１０ｌ  爪部
１０ｎ  基板支持部
１０ｏ  切欠き部
１８  チューナ（受信部）
１００  液晶テレビジョン装置（表示装置、テレビジョン装置）
【図１】
2013092611.tif 000003
【図２】
2013092611.tif 000004
【図３】
2013092611.tif 000005
【図４】
2013092611.tif 000006
【図５】
2013092611.tif 000007
【図６】
2013092611.tif 000008
【図７】
2013092611.tif 000009
【図８】
2013092611.tif 000010
【図９】
2013092611.tif 000011
【図１０】
2013092611.tif 000012
【図１１】
2013092611.tif 000013